【事件の表示】
　特許第５９６４７１８号発明「シリコーン離型ポリエステルフィルム」の特許異議申立事件について、次のとおり決定する。
【結　論】
　特許第５９６４７１８号の特許請求の範囲を訂正請求書に添付された訂正特許請求の範囲のとおり、訂正後の請求項〔１〜４〕について訂正することを認める。
　特許第５９６４７１８号の請求項１〜４に係る特許を維持する。
【理　由】
第１　手続の経緯
　本件特許第５９６４７１８号（以下「本件特許」という。）の請求項１〜４に係る特許についての出願は、平成２８年７月８日にその特許権の設定登録がされ、その後、特許異議申立人特許業務法人虎ノ門知的財産事務所（以下「申立人」という。）より特許異議の申立てがされ、平成２９年４月１３日付けで取消理由が通知され、その指定期間内である平成２９年６月９日に意見書の提出及び訂正の請求がされたものである。
　なお、特許権者による訂正の請求について、申立人に意見を提出する機会を与えたが、申立人からの意見書の提出はなかった。
第２　訂正の請求
１　訂正の内容 
　平成２９年６月９日付け訂正請求書による訂正の請求は、「特許第５９６４７１８号の特許請求の範囲を本訂正請求書に添付した訂正特許請求の範囲のとおり、訂正後の請求項１〜４について訂正する」ことを求めるものであり、その訂正（以下「本件訂正」という。）の内容は、本件特許に係る願書に添付した特許請求の範囲を、次のように訂正するものである。
（１）　訂正事項１
　特許請求の範囲の請求項１に、「アルケニル基含有シリコーンの水分散体」とあるのを「下記の一般式（Ｉ）で示される構造を有するオルガノポリシロキサンであるアルケニル基含有シリコーンの水分散体」に訂正し、下記一般式（Ｉ）を追加する。
［一般式（Ｉ）］
　　Ｒ１ａＲ２ｂＳｉＯ（４−ａ−ｂ）／２　・・・（Ｉ）
（式（Ｉ）中、Ｒ１は炭素数２〜８のアルケニル基、Ｒ２はアルキル基またはアリール基から選択される炭素数１〜１６の１価の飽和炭化水素基であり、ａは１〜３、ｂは０〜２で、かつａ＋ｂ≦３を満たす整数をそれぞれ表す）
（請求項１の記載を引用する請求項２〜４も同様に訂正する。）
２　訂正の適否
（１）　一群の請求項について
　訂正事項１に係る訂正前の請求項１〜４について、請求項２は請求項１を引用し、請求項３は請求項１または２を引用しており、請求項４は請求項１〜３のいずれか１項を引用しており、訂正事項１によって訂正される請求項１に連動して訂正されるものである。したがって、訂正前の請求項１〜４は、特許法第１２０条の５第４項に規定する一群の請求項である。
（２）　訂正事項１について
ア　訂正の目的について
　訂正事項１は、「アルケニル基含有シリコーンの水分散体」とあるのを、「下記の一般式（Ｉ）で示される構造を有するオルガノポリシロキサンであるアルケニル基含有シリコーンの水分散体」とし、一般式（Ｉ）を追加する訂正であり、アルケニル基含有シリコーンを具体的に特定しようとするものであるから、特許請求の範囲の減縮を目的とするものであり、また、訂正後の請求項１を引用する請求項２〜４についても同様に減縮しようとするものであるから、特許法第１２０条の５第２項ただし書第１号に規定する特許請求の範囲の減縮を目的とするものである。
イ　実質上特許請求の範囲を拡張し、又は変更する訂正ではないこと
　訂正事項１は、「アルケニル基含有シリコーンの水分散体」とあるのを「下記の一般式（Ｉ）で示される構造を有するオルガノポリシロキサンであるアルケニル基含有シリコーンの水分散体」とし、一般式（Ｉ）を追加するという訂正であり、発明のカテゴリーや対象、目的を変更するものではなく、また、訂正後の請求項１を引用する訂正後の請求項２〜４に記載された発明についてもカテゴリーや対象、目的を変更するものでもない。
　よって、訂正事項１は、実質上特許請求の範囲を拡張し、又は変更するものではなく、特許法第１２０条の５第９項で準用する特許法第１２６条第６項に適合する。
ウ　願書に添付した明細書、特許請求の範囲又は図面に記載した事項の範囲内であること
　訂正事項１は、願書に添付した明細書の
「該アルケニル基含有シリコーンとして、下記の一般式（Ｉ）で示される構造を有するオルガノポリシロキサンが例示される。
　Ｒ１ａＲ２ｂＳｉＯ（４−ａ−ｂ）／２　・・・（Ｉ）
（式（Ｉ）中、Ｒ１は炭素数２〜８のアルケニル基、Ｒ２はアルキル基またはアリール基から選択される炭素数１〜１６の１価の飽和炭化水素基であり、ａは１〜３、ｂは０〜２で、かつａ＋ｂ≦３を満たす整数をそれぞれ表す）」（【００１４】）
という記載に基づくものであるから、願書に添付した明細書、特許請求の範囲又は図面に記載した事項の範囲内の訂正であり、特許法第１２０条の５第９項で準用する特許法第１２６条第５項に適合する。
３　まとめ
　したがって、本件訂正は、特許法第１２０条の５第２項ただし書第１号に掲げる事項を目的とし、同条第４項並びに同条第９項の規定によって準用する第１２６条第５項及び第６項に適合するので、訂正後の請求項〔１〜４〕について訂正を認める。
第３　本件特許発明 
　上記のとおり本件訂正が認められるから、本件特許の請求項１〜４に係る発明（以下「本件発明１〜４」という。また、これらをまとめて「本件発明」ということもある。）は、訂正特許請求の範囲の請求項１〜４に記載された事項により特定される、次のとおりのものである。
【請求項１】
　ポリエステルフィルムの少なくとも片面に、下記の一般式（Ｉ）で示される構造を有するオルガノポリシロキサンであるアルケニル基含有シリコーンの水分散体、Ｓｉ−Ｈ基で表されるＳｉ原子と直接結合した水素原子を有するシリコーンの水分散体、架橋反応抑制剤および白金系触媒を含む離型用コーティング組成物を用いて形成される塗布層を有するシリコーン離型ポリエステルフィルムにおいて、該アルケニル基含有シリコーンの数平均分子量が１００００〜３００００、該白金系触媒の白金元素重量がアルケニル基含有シリコーン重量に対して１０〜１２０ｐｐｍ、かつ架橋反応抑制剤の含有量が塗布層の形成に用いられる塗布液重量に対して１０ｐｐｍ以上であり、該塗布層厚みが１０〜１００ｎｍである、シリコーン離型ポリエステルフィルム。
　　Ｒ１ａＲ２ｂＳｉＯ（４−ａ−ｂ）／２　・・・（Ｉ）
（式（Ｉ）中、Ｒ１は炭素数２〜８のアルケニル基、Ｒ２はアルキル基またはアリール基から選択される炭素数１〜１６の１価の飽和炭化水素基であり、ａは１〜３、ｂは０〜２で、かつａ＋ｂ≦３を満たす整数をそれぞれ表す）
【請求項２】
　ポリエステルフィルムが、粒子を含まない表面層を有し、塗布層が該表面層上に形成されてなる、請求項１に記載のシリコーン離型ポリエステルフィルム。
【請求項３】
　該アルケニル基含有シリコーンのアルケニル基がビニル基である、請求項１または２に記載のシリコーン離型ポリエステルフィルム。
【請求項４】
　積層セラミックコンデンサ製造におけるセラミックグリーンシート成形に用いられる、請求項１〜３のいずれか１項に記載のシリコーン離型ポリエステルフィルム。
第４　当審の判断
１　平成２９年４月１３日付け取消理由通知に記載した取消理由の概要
［理由１］　本件発明１及び３は、その出願前日本国内または外国において頒布された下記の刊行物に記載された発明又は電気通信回線を通じて公衆に利用可能となった発明であるから、特許法第２９条第１項第３号に該当し、特許を受けることができない。
［理由２］　本件発明１〜４は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
＜刊行物＞
甲第１号証　韓国公開特許２００８−００８１８３２号公報
甲第２号証　特開２０１２−４０７６２号公報
甲第３号証　特開平５−２６２９８６号公報
甲第４号証　特開平９−１２５００４号公報
甲第５号証　特開平９−１４３３７１号公報
（以下「甲第１号証」等を「甲１」等という。また、「甲第１号証に記載された発明」、「甲第２号証に記載された事項」等を、それぞれ「甲１発明」、「甲２記載事項」等という。）
　
理由１−１
　
理由２−１
　
理由２−２
　
理由２−３
　なお、上記取消理由通知は、本件特許異議の申立てにおいて申立てられた全ての申立理由を採用した。
２　上記取消理由についての判断
（１）　理由１−１について
ア　甲１発明
　甲１には、
「ポリエステルフィルムの基材上に、
（Ａ）　下記（Ａ１）成分と（Ａ２）成分とをアルカリ触媒を用いて加熱反応させて得られた生成物１００質量部、
（Ａ１）　一分子中にケイ素原子に結合したアルケニル基を少なくとも２個有し、該アルケニル基の含有量が０．０１０〜０．０５モル／１００ｇの範囲内であり、２５℃における粘度が１００〜１，５００ｍｐａ・ｓであるジオルガノポリシロキサン９７〜８０質量部、
（Ａ２）　Ｒ３ＳｉＯ１／２単位（ここで、Ｒは脂肪族不飽和結合を含有しない同種又は異種の炭素数が１から１０の１価炭化水素基、または水酸基）及びＳｉＯ４／２単位を含有し、Ｒ３ＳｉＯ１／２単位とＳｉＯ４／２単位とのモル比が０．６〜１．５の範囲内であるポリオルガノシロキサン３〜２０質量部、
（ここで、（Ａ１）成分と（Ａ２）成分の合計量は１００質量部である）
（Ｂ）　一分子中にケイ素原子に結合した水素原子を少なくとも３個有し、２５℃における粘度が５〜１，０００ｍｐａ・ｓであるオルガノハイドロジェンポリシロキサン０．５〜１０質量部、
（Ｃ）　（Ａ）成分１００質量部に対して、０．０１〜１０質量部の付加反応抑制剤、及び
（Ｄ）　（Ａ）成分の重量に対する添加量が１〜１，０００ｐｐｍの白金族金属系触媒
を含有し、２５℃における粘度が１００〜１，５００ｍｐａ・ｓの範囲内である、
プラスチックフィルム用の無溶剤型硬化性シリコーン剥離剤組成物
を塗布し、硬化させた、０．０１μｍ〜５．０μｍの厚みの硬化皮膜が形成された、剥離フィルム。」
という甲１発明が記載されている（請求項１、段落＜４６＞、＜４８＞、＜５９＞、＜６０＞等の記載参照）。
イ　本件発明１と甲１発明との対比、判断
　本件発明１と甲１発明を対比すると、両者は少なくとも以下の点で相違する。
［相違点Ａ］
　離型用コーティング組成物について、本件発明１は、
「下記の一般式（Ｉ）で示される構造を有するオルガノポリシロキサンであるアルケニル基含有シリコーンの水分散体
　　Ｒ１ａＲ２ｂＳｉＯ（４−ａ−ｂ）／２　・・・（Ｉ）
（式（Ｉ）中、Ｒ１は炭素数２〜８のアルケニル基、Ｒ２はアルキル基またはアリール基から選択される炭素数１〜１６の１価の飽和炭化水素基であり、ａは１〜３、ｂは０〜２で、かつａ＋ｂ≦３を満たす整数をそれぞれ表す）」を含むものであるのに対して、
　甲１発明は、
「（Ａ）　下記（Ａ１）成分と（Ａ２）成分とをアルカリ触媒を用いて加熱反応させて得られた生成物
（Ａ１）　一分子中にケイ素原子に結合したアルケニル基を少なくとも２個有し、該アルケニル基の含有量が０．０１０〜０．０５モル／１００ｇの範囲内であり、２５℃における粘度が１００〜１，５００ｍｐａ・ｓであるジオルガノポリシロキサン９７〜８０質量部、
（Ａ２）　Ｒ３ＳｉＯ１／２単位（ここで、Ｒは脂肪族不飽和結合を含有しない同種又は異種の炭素数が１から１０の１価炭化水素基、または水酸基）及びＳｉＯ４／２単位を含有し、Ｒ３ＳｉＯ１／２単位とＳｉＯ４／２単位とのモル比が０．６〜１．５の範囲内であるポリオルガノシロキサン３〜２０質量部、
（ここで、（Ａ１）成分と（Ａ２）成分の合計量は１００質量部である）」を含む「無溶剤型」のものである点。
　そして、上記相違点Ａは実質的な相違点であるから、本願発明１は、甲１発明であるとはいえない。
ウ　本件発明３について
　本件発明３は、本件発明１の発明特定事項をすべて含むものであるところ、上記（１）イの説示を踏まえれば、甲１発明であるとはいえない。
エ　小括
　よって、本件発明１及び３は、甲１発明ではないから、特許法第２９条第１項第３号に該当せず、特許を受けることができないとすることはできない。
　したがって、本件発明１及び３に係る特許は、特許法第１１３条第２号に該当せず、取り消されるべきものとすることはできない。
（２）　理由２−１及び理由２−２について
ア　本件発明１と甲１発明との対比、判断
　上記（１）に示したとおり、本件発明１と甲１発明は上記相違点Ａにおいて相違する。
　そこで、上記相違点Ａについて検討すると、甲１発明は、プラスチックフィルム基材に対する密着性がよく、しかも剥離性に優れた無溶剤型の硬化性シリコーン剥離剤組成物、及びこの組成物の硬化被膜が形成されてなる剥離フィルムを提供することを目的とするものであり（甲１＜１２＞等参照）、その目的のために、「無溶剤型の硬化性シリコーン剥離剤組成物」において上記「（Ａ１）成分と（Ａ２）成分とをアルカリ触媒を用いて加熱反応させて得られた生成物」を含むようにしたものであるから、甲１に接した当業者にとって、甲１発明において、上記「（Ａ１）成分と（Ａ２）成分とをアルカリ触媒を用いて加熱反応させて得られた生成物」を含む「無溶剤型」のものに代えて、上記一般式（Ｉ）で示される構造を有するオルガノポリシロキサンであるアルケニル基含有シリコーンの水分散体を含むようにした水系溶剤型のものを用いようとする動機を見出すことはできない。そうすると、たとえ上記一般式（Ｉ）で示される構造を有するオルガノポリシロキサンであるアルケニル基含有シリコーンの水分散体を含むようにした水系溶剤型の離型用コーティング組成物を用いた離型ポリエステルフィルムが甲２にみられるように公知であったとしても、甲１発明について上記相違点Ａに係る本件発明１の構成を得るようにすることは、当業者が容易に想到し得るものとはいえない。
　そして、本件発明１は、上記相違点Ａに係る構成等を備えることにより、薄膜セラミックグリーンシート成形に適した軽剥離性とグリーンシートの表面性に影響する微細なシリコーン凝集物由来の突起が低減されたシリコーン離型ポリエステルフィルムを提供することができる（本件特許明細書【０００９】参照）という効果を奏するものである。
　よって、本件発明１は、甲１発明に基いて、又は、甲１発明及び甲２記載事項に基いて、当業者が容易に発明をすることができたものとはいえない。
イ　本件発明２〜４について
　本件発明２〜４は、本件発明１の発明特定事項をすべて含むものであるところ、上記（２）アの説示を踏まえれば、甲１発明に基いて、又は、甲１発明及び甲２記載事項に基いて、当業者が容易に発明をすることができたものとはいえない。
ウ　小括
　よって、本件発明１〜４は、甲１発明に基いて、又は、甲１発明及び甲２記載事項に基いて、当業者が容易に発明をすることができたものとはいえず、特許法第２９条第２項の規定により特許を受けることができないものではないから、本件発明１〜４に係る特許は、特許法第１１３条第２号に該当せず、取り消されるべきものとすることはできない。
（３）　理由２−３について
ア　本件発明１と、甲３、甲４及び甲５発明との対比、判断
　本件発明１と、甲３、甲４及び甲５発明とをそれぞれ対比すると、これらのものは、オルガノポリシロキサンであるアルケニル基含有シリコーン、Ｓｉ−Ｈ基で表されるＳｉ原子と直接結合した水素原子を有するシリコーン、架橋反応抑制剤および白金系触媒を含むシリコーン組成物の塗布層を有する点において共通するものであるが、本件発明１は、甲３、甲４及び甲５発明のいずれとも、少なくとも以下の点において相違する。
［相違点Ｂ］
　本件発明１は、
「該アルケニル基含有シリコーンの数平均分子量が１００００〜３００００、該白金系触媒の白金元素重量がアルケニル基含有シリコーン重量に対して１０〜１２０ｐｐｍ、かつ架橋反応抑制剤の含有量が塗布層の形成に用いられる塗布液重量に対して１０ｐｐｍ以上であり、該塗布層厚みが１０〜１００ｎｍである」のに対して、
　甲３、甲４及び甲５発明のいずれについても、上記「アルケニル基含有シリコーンの数平均分子量」、「白金系触媒の白金元素重量」の「アルケニル基含有シリコーン重量」に対する量、「架橋反応抑制剤の含有量」の「塗布層の形成に用いられる塗布液重量」に対する量、及び、「塗布層厚み」が、上記数値範囲であるか明らかでない点。
　そこで、上記相違点Ｂについて検討する。
　本件発明１は、薄膜セラミックグリーンシート成形に適した軽剥離性とグリーンシートの表面性に影響する微細なシリコーン凝集物由来の突起が低減されたシリコーン離型ポリエステルフィルムを提供するために、シリコーンエマルジョン中のアルケニル基含有シリコーンの分子量と白金触媒の濃度及び離型層厚みに着目して、軽剥離化と表面平滑性の両方を解決できることを見出し（本件特許明細書【０００６】〜【０００７】参照）、「アルケニル基含有シリコーンの分子量」、「白金触媒の濃度」及び「離型層厚み」の３つのパラメータについて上記相違点Ｂに係る数値範囲に特定したものである。
　一方、甲３、甲４及び甲５発明は、本件発明の上記点に着目したものではないから、甲３、甲４又は甲５に接した当業者にとって、上記３つのパラメータについて上記相違点Ｂに係る本件発明１の構成を得ようとする動機を見出すことはできない。また、上記３つのパラメータについての上記相違点Ｂに係る本件発明１の構成は、甲１及び甲２には記載されていないし、示唆する記載もない。また、上記３つのパラメータについて上記相違点Ｂに係る数値範囲とすることが、当業者において当然の設計的事項又は技術常識であるとするに足る証拠はない。
　そして、本件発明１は、上記相違点Ｂに係る構成等を備えることにより、薄膜セラミックグリーンシート成形に適した軽剥離性とグリーンシートの表面性に影響する微細なシリコーン凝集物由来の突起が低減されたシリコーン離型ポリエステルフィルムを提供することができる（本件特許明細書【０００９】参照）という効果を奏するものである。
　よって、本件発明１は、甲３、甲４、甲５発明のいずれかに、甲１又は甲２記載事項を適用することで、当業者が容易に発明をすることができたものとはいえない。
イ　本件発明２〜４について
　本件発明２〜４は、本件発明１の発明特定事項をすべて含むものであるところ、上記（３）アの説示を踏まえれば、甲３、甲４、甲５発明のいずれかに、甲１又は甲２記載事項を適用することで、当業者が容易に発明をすることができたものとはいえない。
ウ　小括
　よって、本件発明１〜４は、甲３、甲４、甲５発明のいずれかに、甲１又は甲２記載事項を適用することで、当業者が容易に発明をすることができたものとはいえず、特許法第２９条第２項の規定により特許を受けることができないものではないから、本件発明１〜４に係る特許は、特許法第１１３条第２号に該当せず、取り消されるべきものとすることはできない。
第５　むすび
　以上のとおりであるから、取消理由通知に記載した取消理由によっては、本件発明１〜４に係る特許を取り消すことはできない。
　また、他に本件発明１〜４に係る特許を取り消すべき理由を発見しない。
　よって、結論のとおり決定する。
【異議決定日】
平成２９年１０月１３日（２０１７．１０．１３）
【訂正の要旨】
審決（決定）の【理由】欄参照。
（５７）【特許請求の範囲】
　【請求項１】
　ポリエステルフィルムの少なくとも片面に、
下記の一般式（Ｉ）で示される構造を有するオルガノポリシロキサンである
　
Ｒ１ａＲ２ｂＳｉＯ（４−ａ−ｂ）／２　　・・・（Ｉ）
（式（Ｉ）中、Ｒ１は炭素数２〜８のアルケニル基、Ｒ２はアルキル基またはアリール基から選択される炭素数１〜１６の１価の飽和炭化水素基であり、ａは１〜３、ｂは０〜２で、かつａ＋ｂ≦３を満たす整数をそれぞれ表す）
　【請求項２】
　ポリエステルフィルムが、粒子を含まない表面層を有し、塗布層が該表面層上に形成されてなる、請求項１に記載のシリコーン離型ポリエステルフィルム。
　【請求項３】
　該アルケニル基含有シリコーンのアルケニル基がビニル基である、請求項１または２に記載のシリコーン離型ポリエステルフィルム。
　【請求項４】
　積層セラミックコンデンサ製造におけるセラミックグリーンシート成形に用いられる、請求項１〜３のいずれか１項に記載のシリコーン離型ポリエステルフィルム。